(57)【要約】【課題】多方向組立式ディスプレーの構造の提供。【解決手段】本考案に記載されるものは多方向組立式ディスプレーの構造であり、ケース、ディスプレー、及び少なくとも一つの分解可能な組立キットを含む。ケースに内蔵スペース、開け口、複数の凹み部がある。各凹み部は同じ形をしており、それぞれの底面に一つの組立穴がある。そして、ディスプレーはケースの内蔵スペースに設置され、ディスプレースクリーンはケースの開け口に対応して設けられている。また、分解可能な組立キットは手で取り外せる他に、ケースにある複数の組立穴にも自由に設置できるため、使用者は道具なしでも容易にこのディスプレーを取り外したり、組み立てたりすることができ、大変便利である。その他、需要に応じていろんな方向に組立キットをケースに組み立てることが可能なので、組立キットの設置位置を選択することもできる。【選択図】図１
0003133818.tif 000002
【実用新案登録請求の範囲】
【請求項１】
ケース、ディスプレー及び少なくとも一つの分解可能な組立キットを含み、
該ケースは内蔵スペース、開け口、及び複数の凹み部を含み、各凹み部の底面に組立穴が設けられ、
該ディスプレーは内蔵スペースに設置され、ディスプレースクリーンを含めており、当該ディスプレースクリーンは開け口に対応して設けられ、
該少なくとも一つの分解可能な組立キットは複数の組立穴のうち一つに組み立てるように選択できることを特徴とする多方向組立式ディスプレー構造。
【請求項２】
当該複数の組立穴の中の少なくとも一つは雌ネジ組立穴であり、当該分解可能な組立キットにはその雌ネジ組立穴に対応する外部雄ネジを備えていることを特徴とする請求項1に記載の多方向組立式ディスプレー構造。
【請求項３】
当該ケースにある複数の凹み部は二次元マトリックスに排列していることを特徴とする請求項1に記載の多方向組立式ディスプレー構造。
【請求項４】
少なくとも一つの分解可能な組立キットはサポートユニットを含めており、当該ディスプレーを支えて直立させることを特徴とする請求項1に記載の多方向組立式ディスプレー構造。
【請求項５】
当該少なくとも一つの分解可能な組立キットはハンドルを含めており、当該ディスプレーと結合して携帯できる状態にさせることを特徴とする請求項1に記載の多方向組立式ディスプレー構造。
【請求項６】
当該少なくとも一つの分解可能な組立キットは壁掛け部品を含めており、当該ディスプレーと結合して吊り掛けられるようにさせることを特徴とする請求項1に記載の多方向組立式ディスプレー構造。
【請求項７】
当該少なくとも一つの分解可能な組立キットは一つの吸盤を含めており、当該ディスプレーと結合してガラスまたは壁に吸着できるようにさせることを特徴とする請求項1に記載の多方向組立式ディスプレー構造。
【請求項８】
当該ディスプレーには発熱電子部品が含まれ、当該発熱電子部品は複数の組立穴の一つに対応するように設置され、また、当該少なくとも一つの分解可能な組立キットにはアロマ装置が含まれ、当該アロマ装置は発熱電子部品が対応する組立穴に設けられ、ディスプレーにアロマ機能を持たせていることを特徴とする請求項1に記載の多方向組立式ディスプレー構造。
【請求項９】
ディスプレーは少なくとも一つの電源端子を備え、当該電源端子は少なくとも複数の組立穴のうち一つに対応するように設けられ、また、少なくとも一つの分解可能な組立キットは電源線を含め、当該電源線は少なくとも一つの電源端子が対応する組立穴に設けられ、ディスプレーに電源を供給していることを特徴とする請求項1に記載の多方向組立式ディスプレー構造。
【請求項１０】
当該ディスプレーは少なくとも一つの信号端子を備え、当該信号端子は少なくとも複数の組立穴のうち一つに対応するように設けられ、また、当該少なくとも一つの分解可能な組立キットはアンテナを含め、当該アンテナは少なくとも一つの信号端子が対応する組立穴に設置され、外部信号を受信してディスプレーに伝送することを特徴とする請求項1に記載の多方向組立式ディスプレー構造。
【請求項１１】
当該ディスプレーは少なくとも一つの音声信号端子を備え、当該音声信号端子は少なくとも複数の組立穴のうち一つに対応するように設けられ、また、当該少なくとも一つの分解可能な組立キットはスピーカを含め、当該スピーカは少なくとも一つの音声信号端子が対応する組立穴に設置され、ディスプレーの音声信号を再生することを特徴とする請求項1に記載の多方向組立式ディスプレー構造。
【考案の詳細な説明】
【技術分野】
【０００１】
本考案はディスプレー構造に関するものであり、特に多方向に使用できる組立式ディスプレー構造を指している。
【背景技術】
【０００２】
現に出回っている周知の液晶テレビの外部アンテナ、台座、スピーカなどの基本部品の構造では、スクリーンと組み立てると全体の体積がかなり大きくなる。分離可能型にした場合、組み立てる箇所に結合のための複雑な構造を設計しなければならないため、操作する時に道具を使う面倒と手数を生じてしまう。また、それらの部品をネジやボルトを締めることでテレビスクリーンと結合するようにした場合、スパナ、ドライバーなどの道具がなければ、テレビとの取り外しや組立ができないため、時間がかかる上に部品やスクリーンを傷つけることもよくある。
【０００３】
また、周知の液晶テレビのスクリーン本体にある部品の組立穴は、部品の機能に基づいて形の違う差込口に設計され、それらの差込口の位置、数量も既定のものである。例えば、電源の差込口とアンテナの差込口はそれぞれ一つだけで、音声信号の差込口は二つある。また、すべての差込口はリアケースの底面に一列に設けられている。そのため、今の液晶テレビでは、使用者に住居室内の配置に合わせて部品の組立位置を選ばせることができない。即ち、自分の希望に合わせて自由に部品を多方向にテレビに取り付けることができないので、使用上に不便があり、理想的な製品とは言えない。
以上の理由に基づき、本考案者は積極的な研究精神を以って前述の問題を解決できる多方向組立式ディスプレーの構造を開発し、何回もの研究と試験を重ねた結果、この便利な考案を完成したわけである。
【考案の開示】
【考案が解決しようとする課題】
【０００４】
本考案は多方向組立式ディスプレーの構造であり、ケース、ディスプレー、及び少なくとも一つの分解可能な組立キットを含めている。中のケースは内蔵スペース、開け口及び複数の凹み部がある。各凹み部は同じ形をしており、それぞれの底面には組立穴が設けられている。
【０００５】
前述のディスプレーはケースの内蔵スペースに設けられ、ディスプレースクリーンを備えている。このディスプレースクリーンはケースの開け口に対応して設置されている。また、前述の分解可能な組立キットは手で取り外せられ、ケースの複数の組立穴のうち一つに自由に組み立てることができる。
【０００６】
そのため、使用者は何の道具も使用せずに、容易にキットを取り外したり、組み立てたりすることができるので、大変便利である。さらに、使用者の希望に合わせてそれらの組立キットを多方向にケースに取り付けることができるので、組立キットの置き場所も選択できる。
【０００７】
前述の複数の組立穴の中では、少なくとも一つが雌ネジの組立穴であり、分解可能な組立キットにはその雌ネジの組立穴と対応する雄ネジがある。両方はネジ締めの形で結合して固定できる。また、組立穴が通し穴である場合、分解型の組立部品は通し穴と対応する凸部を持っているもので、両方は直接に嵌めるように結合して固定できる。そのため、使用者は何の道具も使用せずに、容易に手で直接に回したり、嵌めたり、または抜いたりすることができるので、分解にも組立にも便利である。
【０００８】
また、前述のケースにある複数の凹み部は二次元マトリックスや同心円、または他の特殊の形で配置させることができるので、使用者には組立完成品の置き場所についての選択肢を与える。
前述の分解可能な組立キットはディスプレーに対し、直立状態にさせるユニットや台座であったり、携帯できるようにさせるハンドルであったり、または吊りかけるようにさせる壁掛け型や吊りかけ型であったり、ガラスや壁などに吸着させることで固定させる吸盤であってもよい。前述のぞれぞれの組立状態から、ディスプレーを直立状態や横這い状態にさせることにより、使用者に多方向の組立について選択の余地を与えることができる。
【０００９】
また、前述のディスプレーには一つの発熱電子部品があり、当該発熱電子部品はケース上の複数の組立穴のうち一つに対応して設けられている。しかも、前述にある少なくとも一つの分解可能な組立キットにはアロマ装置が含まれている。このアロマ装置は当該発熱電子部品が対応する組立穴に設けられているので、ディスプレーを使用する際にアロマ効果を楽しむことができる。
【００１０】
前述のディスプレーには少なくとも一つの電源端子を備えている。該当電源端子はケース上の複数の組立穴のうち一つに対応して設けられている。また、前述の少なくとも一つの分解可能な組立キットは、少なくとも一つの電源端子が対応する組立穴に設けられた電源線を備え、ディスプレーに電源を供給している。
【００１１】
その他に、前述のディスプレーには少なくとも一つの信号端子を備え、当該信号端子は少なくともケース上の複数の組立穴のうち一つに対応して設けられている。また、前述の少なくとも一つの分解可能な組立キットは、少なくとも一つの信号端子が対応する組立穴に設けられたアンテナを含め、外部信号を受信してディスプレーに伝送する。
【００１２】
前述のディスプレーには少なくとも一つの音声信号端子が含まれ、該当音声信号端子は少なくともケース上の複数の組立穴のうち一つに対応して設けられている。また、前述の少なくとも一つの分解可能な組立キットは、少なくとも一つの音声信号端子が対応する組立穴に設けられたスピーカを含め、該当スピーカはディスプレーの音声信号を再生することができる。
【課題を解決するための手段】
【００１３】
請求項１の考案は、ケース、ディスプレー及び少なくとも一つの分解可能な組立キットを含み、
該ケースは内蔵スペース、開け口、及び複数の凹み部を含み、各凹み部の底面に組立穴が設けられ、
該ディスプレーは内蔵スペースに設置され、ディスプレースクリーンを含めており、当該ディスプレースクリーンは開け口に対応して設けられ、
該少なくとも一つの分解可能な組立キットは複数の組立穴のうち一つに組み立てるように選択できることを特徴とする多方向組立式ディスプレー構造としている。
請求項２の考案は、当該複数の組立穴の中の少なくとも一つは雌ネジ組立穴であり、当該分解可能な組立キットにはその雌ネジ組立穴に対応する外部雄ネジを備えていることを特徴とする請求項1で述べられている多方向組立式ディスプレー構造としている。
請求項３の考案は、当該ケースにある複数の凹み部は二次元マトリックスに排列していることを特徴とする請求項1で述べられている多方向組立式ディスプレー構造としている。
請求項４の考案は、少なくとも一つの分解可能な組立キットはサポートユニットを含めており、当該ディスプレーを支えて直立させることを特徴とする請求項1で述べられている多方向組立式ディスプレー構造としている。
請求項５の考案は、当該少なくとも一つの分解可能な組立キットはハンドルを含めており、当該ディスプレーと結合して携帯できる状態にさせることを特徴とする請求項1で述べられている多方向組立式ディスプレー構造としている。
請求項６の考案は、当該少なくとも一つの分解可能な組立キットは壁掛け部品を含めており、当該ディスプレーと結合して吊り掛けられるようにさせることを特徴とする請求項1で述べられている多方向組立式ディスプレー構造としている。
請求項７の考案は、当該少なくとも一つの分解可能な組立キットは一つの吸盤を含めており、当該ディスプレーと結合してガラスまたは壁に吸着できるようにさせることを特徴とする請求項1に記載の多方向組立式ディスプレー構造としている。
請求項８の考案は、当該ディスプレーには発熱電子部品が含まれ、当該発熱電子部品は複数の組立穴の一つに対応するように設置され、また、当該少なくとも一つの分解可能な組立キットにはアロマ装置が含まれ、当該アロマ装置は発熱電子部品が対応する組立穴に設けられ、ディスプレーにアロマ機能を持たせていることを特徴とする請求項1で述べられている多方向組立式ディスプレー構造としている。
請求項９の考案は、ディスプレーは少なくとも一つの電源端子を備え、当該電源端子は少なくとも複数の組立穴のうち一つに対応するように設けられ、また、少なくとも一つの分解可能な組立キットは電源線を含め、当該電源線は少なくとも一つの電源端子が対応する組立穴に設けられ、ディスプレーに電源を供給していることを特徴とする請求項1で述べられている多方向組立式ディスプレー構造としている。
請求項１０の考案は、当該ディスプレーは少なくとも一つの信号端子を備え、当該信号端子は少なくとも複数の組立穴のうち一つに対応するように設けられ、また、当該少なくとも一つの分解可能な組立キットはアンテナを含め、当該アンテナは少なくとも一つの信号端子が対応する組立穴に設置され、外部信号を受信してディスプレーに伝送することを特徴とする請求項1で述べられている多方向組立式ディスプレー構造としている。
請求項１１の考案は、当該ディスプレーは少なくとも一つの音声信号端子を備え、当該音声信号端子は少なくとも複数の組立穴のうち一つに対応するように設けられ、また、当該少なくとも一つの分解可能な組立キットはスピーカを含め、当該スピーカは少なくとも一つの音声信号端子が対応する組立穴に設置され、ディスプレーの音声信号を再生することを特徴とする請求項1で述べられている多方向組立式ディスプレー構造としている。
【考案の効果】
【００１４】
本考案に記載されるものは多方向組立式ディスプレーの構造であり、ケース、ディスプレー、及び少なくとも一つの分解可能な組立キットを含めている。ケースに内蔵スペース、開け口、複数の凹み部がある。各凹み部は同じ形をしており、それぞれの底面に一つの組立穴がある。そして、ディスプレーはケースの内蔵スペースに設置され、ディスプレースクリーンはケースの開け口に対応して設けられている。また、分解可能な組立キットは手で取り外せる他に、ケースにある複数の組立穴にも自由に設置できるため、使用者は道具なしでも容易にこのディスプレーを取り外したり、組み立てたりすることができ、大変便利である。その他、需要に応じていろんな方向に組立キットをケースに組み立てることが可能なので、組立キットの設置位置を選択することもできる。
【考案を実施するための最良の形態】
【００１５】
図１は本考案のケースの分解図であり、図2は本考案の第一の最も好ましい実施例の立体図である。当実施例はケース10、ディスプレー20、及び三つの分解可能な組立キット30を含めている。ケース10はフロントケース101とリアケース102によって構成されている。ケース10は内蔵スペース11、開け口12、複数の放熱穴15及び二次元マトリックスに配置している複数の凹み部13を含めている。各凹み部13は同じ形をしており、それぞれの底面に組立穴14が設けられている。
【００１６】
図１では、ディスプレー20はケース10の内蔵スペース11に設けられている。ディスプレー20はディスプレースクリーン21、放熱電子部品22、三つの電源端子23、二つの信号端子24、及び八つの音声信号端子25を備えている。ディスプレー20のディスプレースクリーン21は、ケース10の開け口12に対応して設けられている。放熱電子部品22、電源端子23、信号端子24、及び音声信号端子25のいずれもケース10上にある複数の組立穴14に対応して設けられている。当実施例では、放熱電子部品22はディスプレー20の真ん中に、電源端子23はディスプレー20の下方に、そして、信号端子24はディスプレー20の上方の両側に、音声端子25はディスプレー20の左右両側に設けられている。
【００１７】
図２では、アンテナ38と二つのサポートユニット31で構成されている三つの分解可能な組立キット30である。また、図1と図2では、アンテナ38は二つの信号端子24が対応する組立穴14のうち一つに設けられ、外部信号を受信してディスプレー20に伝送する。二つのサポートユニット31はケース10にある複数の組立穴14のうち二つに設けられ、ディスプレー20を直立できるようにさせる。当実施例では、アンテナ38と組立穴14は直接に嵌めるように結合して固定され、サポートユニット31と組立穴141はネジ締めの形で結合して固定されている。即ち、サポートユニット31には雄ネジ301があり、組立穴14は対応している雌ネジの組立穴141であること。
【００１８】
以上に鑑み、使用者は何の道具も使用せずに、容易に取り外しや組立ができるので、大変便利である。しかも、希望に合わせて自由に分解可能な組立キット30をケース10に多方向に組み立てることで、設置する位置を選択できる。
図３は本考案の第二の好ましい実施例の立体図である。図1と合わせてみれば、当実施例は第一の実施例と大体同じ構造をしていることが分かる。両者の差異は、当実施例は第一実施例より分解可能な組立キット30が二つ多く備えていることである。つまり、二つのスピーカ39を多く備えること。当該スピーカは八つの音声信号端子25が対応する組立穴14のうち二つに設けられ、ディスプレー20の音声信号を再生する働きをしている。当実施例では、スピーカ39と組立穴14は直接に嵌めるように結合して固定されている。当実施例もまた、第一実施例の容易にできる取り外しや組立方法、そして自由の多方向組立効果を備えている。
【００１９】
図４は本考案の第三の好ましい実施例の立体図である。図1と合わせてみれば、当実施例と第二実施例と大体同じ構造をしていることが分かる。両者の差異は、当実施例は台座35で第二実施例の二つのサポートユニット31と引き替えにディスプレー20を直立できるようにさせることである。当実施例もまた第二実施例の容易にできる取り外しや組立方法、そして自由の多方向組立効果を備えている。
【００２０】
図５は第四の好ましい実施例の立体図である。図1と合わせてみれば、当実施例と第一実施例と大体同じ構造をしていることが分かる。両者の差異は、当実施例は二つの分解可能な組立キット30と電源線37しか備えていないことである。即ち、一つの壁掛け部品33でディスプレー20を吊り掛ける状態にさせる。そして、電源線37は三つの電源端子23が対応する組立穴14のうち一つに設けられ、ディスプレー20への電源供給に使われている。
【００２１】
図６は第五の好ましい実施例の立体図である。図1に合わせてみれば、当実施例と第四実施例と大体同じ構造をしていることが分かる。その差異は、当実施例は二つの分解可能な組立キット30を備えていること。即ち、二つの吊り掛け部品34で第四実施例の壁掛け部品33と取り替えにディスプレー20を吊り掛ける状態にさせることである。
【００２２】
図７は本考案の第六の好ましい実施例の立体図である。図1に合わせてみれば、当実施例と第二の実施例と大体同じ構造をしていることが分かる。その差異は、当実施例の分解可能な組立キット30はアンテナ38、及び二本のスピーカ線392を備えていることである。この二本のスピーカ線392は八つの音声信号端子25が対応する組立穴14のうち二つに設けられ、二つのスピーカ391とそれぞれに接続し、ディスプレー20の音声信号の再生機能を働いている。即ち、当実施例のスピーカ391はディスプレー20と分かれている。当実施例もまた、第二実施例の容易にできる取り外しや組立方法、そして自由の多方向組立効果を備えている。
【００２３】
図８は本考案の第七の好ましい実施例の立体図である。図1に合わせてみれば、当実施例と第四の実施例と大体同じ構造をしていることが分かる。その差異は、当実施例の分解可能な組立キット30はハンドル32で第四実施例の壁掛け部品33を取り替えていることである。これで使用者はディスプレー20を携帯できるようになる。
【００２４】
図９は本考案の第八の好ましい実施例の立体図である。図1に合わせてみれば、当実施例と第四の実施例と大体同じ構造をしていることが分かる。その差異は、当実施例の分解可能な組立キット30は二つの吸盤40で第四実施例の壁掛け部品33を取り替えていることである。これでディスプレー20は吸着で固定可能な状態になり、ガラスや壁に吸着できる上に直立状態になっている。即ち、第四実施例のディスプレー20の置き方向とは90度の差もあるということになる。しかし、当実施例はこのような置き方向に限られているではなく、実際の需要に合わせて違う方向や角度に置くこともできる。
【００２５】
図１０は本考案の第九好ましい実施例の立体図である。図1に合わせてみれば、当実施例と第一の実施例と大体同じ構造をしていることが分かる。その差異は、当実施例の分解可能な組立キット30はアロマ装置36で第一実施例のアンテナ38を取り替えていることである。アロマ装置36には一つの容器があり、その中にエッセンスオイルが注入されている。アロマ装置36は放熱穴15に対応するように、放熱電子部品22が対応する組立穴141に設けられている。ディスプレー20が使用される際、放熱電子部品22が放出する余熱は、放熱穴15を通してアロマ装置36へ伝導される。すると、アロマ装置36内のアロマエッセンスオイルがその熱で揮発し、ディスプレー20からアロマを発散することを実現できる。当実施例では、アロマ装置36と組立穴141はネジ締めの方法で結合して固定されている。
【図面の簡単な説明】
【００２６】
【図１】本考案のケースの分解図である。
【図２】本考案の第一の好ましい実施例の立体図である。
【図３】本考案の第二の好ましい実施例の立体図である。
【図４】本考案の第三の好ましい実施例の立体図である。
【図５】本考案の第四の好ましい実施例の立体図である。
【図６】本考案の第五の好ましい実施例の立体図である。
【図７】本考案の第六の好ましい実施例の立体図である。
【図８】本考案の第七の好ましい実施例の立体図である。
【図９】本考案の第八の好ましい実施例の立体図である。
【図１０】本考案の第九の好ましい実施例の立体図である。
【符号の説明】
【００２７】
10  ケース  
101  フロントケース  
102  リアケース  
11  内蔵スペース
12  開け口  
13  凹み部
14  組立穴  
141  組立穴
15  放熱穴  
20  ディスプレー
21  ディスプレースクリーン  
22  放熱電子部品
23  電源端子  
24  信号端子
25  音声信号端子  
30  組立キット
301  雄ネジ  
31  サポートユニット
32  ハンドル  
33  壁掛け部品
34  吊り掛け部品  
35  台座
36  アロマ装置  
37  電源線
38  アンテナ  
39、391  スピーカ
392  スピーカ線  
40  吸盤
【図１】
0003133818.tif 000003
【図２】
0003133818.tif 000004
【図３】
0003133818.tif 000005
【図４】
0003133818.tif 000006
【図５】
0003133818.tif 000007
【図６】
0003133818.tif 000008
【図７】
0003133818.tif 000009
【図８】
0003133818.tif 000010
【図９】
0003133818.tif 000011
【図１０】
0003133818.tif 000012